(57)【要約】【課題】互いに異なる複数の視点用の一連の画像を交互に連続して見る場合における、映像のチラつきを抑制する。【解決手段】表示装置（１）は、左目用画像に含まれる第１画像を表示する場合における上記複数のエリアのうちの第１のエリアの明るさを、第１画像に対応する画像であって、右目用画像に含まれる第２画像の輝度、又は、第２画像を表示する場合のバックライト制御信号の少なくとも何れかに応じて決定するバックライト制御部（１２）を備える。【選択図】図１
2018113656.tif 000002
【特許請求の範囲】
【請求項１】
第１視点用の一連の画像及び第２視点用の一連の画像を交互に表示することによって立体視可能な動画像を表示する表示装置において、
複数のエリアから構成され、当該複数のエリアの明るさを個別に制御可能なバックライトと、
上記バックライトを制御するバックライト制御部と
を備え、
上記バックライト制御部は、
上記第１視点用の一連の画像に含まれる第１の対象画像を表示する場合における上記複数のエリアのうちの第１のエリアの明るさを、
当該第１の対象画像に対応する画像であって、上記第２視点用の一連の画像に含まれる第２の対象画像の輝度、又は、
上記第２の対象画像を表示する場合のバックライト制御信号
の少なくとも何れかに応じて決定する
ことを特徴とする表示装置。
【請求項２】
上記第１のエリアは、上記第２の対象画像における所定の輝度以上の輝度を有する位置に配置されたエリアである
ことを特徴とする請求項１に記載の表示装置。
【請求項３】
上記バックライト制御部は、上記第１のエリアの位置における上記第１の対象画像の輝度と、上記第１のエリアの位置における上記第２の対象画像の輝度とのうち、大きい方の輝度に対応する明るさで上記第１のエリアを発光させる
ことを特徴とする請求項１に記載の表示装置。
【請求項４】
上記バックライト制御部は、
上記第２の対象画像を表示する場合における上記複数のエリアのうちの第２のエリアの明るさを、上記第１の対象画像における最大輝度に応じて決定する
ことを特徴とする請求項１から３の何れか１項に記載の表示装置。
【請求項５】
上記バックライト制御部は、
上記第１の対象画像及び上記第２の対象画像の少なくとも何れかを表示する場合において、上記複数のエリアのうち、上記第１のエリア及び上記第２のエリア以外のエリアの明るさを低下させる
ことを特徴とする請求項４に記載の表示装置。
【請求項６】
ユーザからの操作を受け付けるユーザ操作受付部を更に備え、
上記バックライト制御部は、上記ユーザ操作に応じて、
上記第１視点用の一連の画像に含まれる第１の対象画像を表示する場合における上記複数のエリアのうちの第１のエリアの明るさを、
当該第１の対象画像に対応する画像であって、上記第２視点用の一連の画像に含まれる第２の対象画像の輝度、又は、
上記第２の対象画像を表示する場合のバックライト制御信号
の少なくとも何れかに応じて決定する
ことを特徴とする請求項１から５の何れか１項に記載の表示装置。
【請求項７】
ユーザが３Ｄメガネを装着しているか否かを判別する判別部を更に備え、
上記バックライト制御部は、上記判別部による判別結果に応じて、
上記第１視点用の一連の画像に含まれる第１の対象画像を表示する場合における上記複数のエリアのうちの第１のエリアの明るさを、
当該第１の対象画像に対応する画像であって、上記第２視点用の一連の画像に含まれる第２の対象画像の輝度、又は、
上記第２の対象画像を表示する場合のバックライト制御信号
の少なくとも何れかに応じて決定する
ことを特徴とする請求項１から５の何れか１項に記載の表示装置。
【請求項８】
上記判別部は、上記３Ｄメガネが上記動画像を立体視可能なオン状態と、上記動画像を立体視不可能なオフ状態とのいずれの状態であるかを示す信号を参照して上記ユーザが上記３Ｄメガネを装着しているか否かを判別する
ことを特徴とする請求項７に記載の表示装置。
【請求項９】
上記判別部は、上記ユーザの画像を参照して上記ユーザが上記３Ｄメガネを装着しているか否かを判別する
ことを特徴とする請求項７に記載の表示装置。
【請求項１０】
上記第１視点用の一連の画像及び上記第２視点用の一連の画像は、ＨＤＲ（HighDynamic Range）規格に準拠した画像である
ことを特徴とする請求項１から９の何れか１項に記載の表示装置。
【請求項１１】
請求項１〜１０の何れか１項に記載の表示装置を備えている
ことを特徴とするテレビジョン受像機。
【請求項１２】
第１視点用の一連の画像及び第２視点用の一連の画像を交互に表示することによって立体視可能な動画像を表示する表示方法において、
上記第１視点用の一連の画像に含まれる第１の対象画像を表示する場合における、表示装置が備えるバックライトを構成する複数のエリアのうちの第１のエリアの明るさを、
当該第１の対象画像に対応する画像であって、上記第２視点用の一連の画像に含まれる第２の対象画像の輝度、又は、
上記第２の対象画像を表示する場合のバックライト制御信号
の少なくとも何れかに応じて決定する
ことを特徴とする表示方法。
【請求項１３】
請求項１に記載の表示装置としてコンピュータを機能させるための制御プログラム。
【請求項１４】
請求項１３に記載の制御プログラムを記録したコンピュータ読み取り可能な記録媒体。
【発明の詳細な説明】
【技術分野】
【０００１】
本発明は、立体映像を表示する表示装置などに関する。
【背景技術】
【０００２】
近年、立体映像（以下、３Ｄ（3-Dimension）映像と称する）を表示するテレビジョン技術が開発され、実現されている。この種の３Ｄ技術としては、フレームパッキング（Frame Packing）方式、サイドバイサイド（Side By Side）方式、及びトップアンドボトム（Top And Bottom）方式が知られている。
【０００３】
フレームパッキング方式は、左目用の映像信号（Ｌ用映像信号）と右目用の映像信号（Ｒ用映像信号）とを交互に送信し、テレビジョン受信機（以下、単にＴＶ受信機と称する）において、それら両映像信号を交互に表示するものである。
【０００４】
サイドバイサイド方式は、ＴＶ受信機の画面を左右に２分割するＬ用映像信号とＲ用映像信号とを使用するものである。具体的には、ＴＶ受信機において画面を左右に２分割し、Ｌ用映像信号とＲ用映像信号とを引き伸ばして交互に表示する。
【０００５】
トップアンドボトム方式は、ＴＶ受信機の画面を上下に２分割するTop用映像信号とBottom用映像信号とを使用するものである。具体的には、ＴＶ受信機において画面を上下に２分割し、Top用映像信号とBottom用映像信号とを引き伸ばして交互に表示する。
【０００６】
いずれの場合においても、３Ｄ映像を表示する時には、Ｌ用映像信号とＲ用映像信号とが交互に画面に表示される。画面の表示と３Ｄメガネとを連動させて、Ｌ用映像信号を左目のみ、Ｒ用映像信号を右目のみで見えるようにすることで、３Ｄ映像を見ることが可能になる。３Ｄメガネの主な例としては、液晶シャッターメガネが挙げられる。
【０００７】
一方、表示装置の表示領域を複数のエリアに区画し、エリアごとにバックライトの明るさを制御する、ローカルディミングと呼ばれる技術が開発されている。ローカルディミングによれば、表示画像において輝度の高い部分に対応するエリアを明るくし、輝度の低い部分に対応するエリアを暗くする。これにより、バックライトの消費電力を低減できるとともに、映像のコントラストを向上させることができる。
【０００８】
ところで、映像の隣接するフレーム間での、バックライトの明るさの変動が大きいと、映像にチラつきが発生する。チラつきを抑制する方法としては、上記の明るさの変動が小さくなるように当該明るさを調整することが挙げられる。
【０００９】
しかし、３Ｄ映像においては、隣接するフレームは、互いに異なるＬ用映像信号またはＲ用映像信号のフレームである。このため、３Ｄ映像においては、隣接するフレーム間での明るさの変動が小さくなるように調整することは適切ではない。
【００１０】
特許文献１には、ローカルディミングを行う表示装置により３Ｄ映像を表示する場合において、チラつきを低減し、かつ高コントラストを実現する技術が開示されている。当該技術においては、まず、処理対象の視差画像（Ｌ用映像信号またはＲ用映像信号の、あるフレーム）の画素値に基づいて、光源（バックライト）の第１の強度を求める。次に、処理対象の視差画像と同じ視点であり、処理対象の視差画像より前に表示される映像信号における光源強度と、第１の強度との変動が小さくなるように当該第１の強度を補正する。
【先行技術文献】
【特許文献】
【００１１】
【特許文献１】ＷＯ２０１１／０１３１７５号公報（２０１１年２月３日公開）
【発明の概要】
【発明が解決しようとする課題】
【００１２】
３Ｄメガネを装着していない人物が３Ｄ映像を見る場合、その人物は、Ｌ用映像信号及びＲ用映像信号を、交互に連続して見ることとなる。特許文献１に開示されている技術では、３Ｄメガネを装着していない人物に対するチラつきは低減されない。このことについて以下に説明する。
【００１３】
３Ｄ映像を表示する表示装置がローカルディミングを行う場合において、
（ｉ）画像の輝度が周囲の領域と比較して高く、かつ、
（ｉｉ）当該画像がＬ用映像信号とＲ用映像信号とで、上記複数の領域のうち互いに異なる領域に表示される、
といった場合には、バックライトが明るい領域が、３Ｄ映像のフレームごとに変化することとなる。３Ｄ映像を表示する表示装置において、視聴者の手前側に見えるように表示される物体の画像の、画面上における表示位置は、Ｌ用映像信号とＲ用映像信号とで大きく異なる。したがって、視聴者の手前側に見えるように表示される、輝度の高い物体の画像が３Ｄ映像に含まれている場合、上記の人物は激しく明滅する光を目にすることとなる。
【００１４】
また、表示画質を高画質化する技術の１つとして、ＨＤＲ（High DynamicRange）技術がある。ＨＤＲ技術において用いられるＨＤＲ信号は、１００００ｎｉｔ（ｃｄ／ｍ２）程度の輝度情報を持つことができる。このため、ＨＤＲ技術を用いることにより、画像の高輝度・高コントラスト化が可能となり、映像の迫力を増大させることが可能となる。例えば、Blu-ray（登録商標） DiscではＨＤＲ技術が採用されている。
【００１５】
このようなＨＤＲ技術を３Ｄ映像に適用した場合、輝度情報の上限が高くなることで、上述した、３Ｄメガネを装着していない人物が目にする明滅が更に激しくなる虞がある。このため、現在実用化されている、３Ｄ映像を表示可能な表示装置においては、３Ｄ映像を表示する場合にはＨＤＲ技術を適用しないなどの対策が取られている。
【００１６】
本発明の一態様は、互いに異なる複数の視点用の一連の画像を交互に連続して見る場合における、映像のチラつきを抑制することを目的とする。
【課題を解決するための手段】
【００１７】
上記の課題を解決するために、本発明の一態様に係る表示装置は、第１視点用の一連の画像及び第２視点用の一連の画像を交互に表示することによって立体視可能な動画像を表示する表示装置において、複数のエリアから構成され、当該複数のエリアの明るさを個別に制御可能なバックライトと、上記バックライトを制御するバックライト制御部とを備え、上記バックライト制御部は、上記第１視点用の一連の画像に含まれる第１の対象画像を表示する場合における上記複数のエリアのうちの第１のエリアの明るさを、当該対象画像に対応する画像であって、上記第２視点用の一連の画像に含まれる第２の対象画像の輝度、又は、上記第２の対象画像を表示する場合のバックライト制御信号の少なくとも何れかに応じて決定する。
【発明の効果】
【００１８】
本発明の一態様に係る表示装置及び表示方法によれば、互いに異なる複数の視点用の一連の画像を交互に連続して見る場合における、映像のチラつきを抑制することができる。
【図面の簡単な説明】
【００１９】
【図１】実施形態１に係る表示装置の構成を示すブロック図である。
【図２】実施形態１に係る液晶テレビの外観を示す図である。
【図３】バックライトにおける複数のエリアの一例を示す図である。
【図４】実施形態１に係るバックライト制御部の構成を示すブロック図である。
【図５】実施形態１に係るバックライト制御部における処理の流れを示すフローチャートである。
【図６】（ａ）は、バックライトの各エリアの位置における、チラつき軽減前の第１画像の輝度を示す図であり、（ｂ）は、各エリアの位置における、チラつき軽減前の第２画像の輝度を示す図であり、（ｃ）は、各エリアの位置における、チラつき軽減後の第１画像の輝度を示す図であり、（ｄ）は、各エリアの位置における、チラつき軽減後の第２画像の輝度を示す図である。
【図７】実施形態２に係るバックライト制御部の構成を示すブロック図である。
【図８】実施形態２に係るバックライト制御部における処理の流れを示すフローチャートである。
【図９】（ａ）は、バックライトの各エリアの位置における、チラつき軽減前の第１画像の輝度を示す図であり、（ｂ）は、各エリアの位置における、チラつき軽減前の第２画像の輝度を示す図であり、（ｃ）は、各エリアの位置における、チラつき軽減後の第１画像の輝度を示す図であり、（ｄ）は、各エリアの位置における、チラつき軽減後の第２画像の輝度を示す図である。
【図１０】実施形態３に係るバックライト制御部の構成を示すブロック図である。
【図１１】実施形態３に係るバックライト制御部における処理の流れを示すフローチャートである。
【図１２】（ａ）は、バックライトの各エリアの位置における、チラつき軽減前の第１画像の輝度を示す図であり、（ｂ）は、各エリアの位置における、チラつき軽減前の第２画像の輝度を示す図であり、（ｃ）は、各エリアの位置における、チラつき軽減後の第１画像の輝度を示す図であり、（ｄ）は、各エリアの位置における、チラつき軽減後の第２画像の輝度を示す図である。
【図１３】実施形態４に係るバックライト制御部の構成の一例を示すブロック図である。
【図１４】実施形態４に係るバックライト制御部の構成の、別の例を示すブロック図である。
【発明を実施するための形態】
【００２０】
〔実施形態１〕
以下、本発明の実施の形態について、図１〜図６を参照して詳細に説明する。
【００２１】
（液晶テレビ１００の構成）
図２は、本実施形態に係る液晶テレビ（テレビジョン受像機）１００の外観を示す図である。液晶テレビ１００は、表示装置１及びチューナ（不図示）を備える。表示装置１は、左目用画像（第１視点用の一連の画像）及び右目用画像（第２視点用の一連の画像）を交互に表示することによって立体視可能な動画像を表示する表示装置である。表示装置１が表示する動画像は、例えばＨＤＲ規格に準拠した動画像であってよい。
【００２２】
図１は、本実施形態に係る表示装置１の構成を示すブロック図である。図１に示すように、表示装置１は、液晶パネル１０と、バックライト２０と、表示制御部１１と、バックライト制御部１２とを備える。
【００２３】
液晶パネル１０は、複数の走査ラインを備えている。各走査ラインは複数の画素を備えている。走査ラインの本数及び各走査ラインにおける画素の個数は本実施形態を限定するものではない。例えば、所謂４Ｋテレビとして液晶テレビ１００を実現する場合、走査ラインの本数は２１６０本であり、各走査ラインにおける画素の数は３８４０個である。
【００２４】
液晶パネル１０は、図１に示すように、矩形の表示領域を有する。以下の説明では、液晶パネル１０の長手方向を横方向、短手方向を縦方向と称する。横方向は、ユーザが液晶テレビ１００を視聴する場合において想定される、両目の間を結ぶ方向と一致する。なお、本発明の一態様においては、表示領域は矩形以外の形状を有していてもよい。
【００２５】
バックライト２０は、液晶パネル１０に対して光を照射する、直下型のバックライトである。バックライト２０は、複数のエリアから構成され、当該複数のエリアの明るさを個別に制御可能に構成されている。具体的には、バックライト２０は、エリア毎に少なくとも１つの光源（例えばＬＥＤ（Light Emitting Diode））を備えている。各光源の点灯タイミング及び光量は、バックライト制御部１２によって制御される。以下の説明では、バックライト２０が備える光源がＬＥＤであるとして説明する。ただし、本発明の一態様において、バックライト２０は、ＬＥＤ以外の光源を備えていてもよい。
【００２６】
図３は、バックライト２０における複数のエリアの一例を示す図である。図３に示す例では、バックライト２０は、エリアＡ１〜Ａ２５の、同一の矩形形状を有する合計２５のエリアから構成されている。エリアＡ１〜Ａ２５は、以下の通り、縦に５行、横に５列並んでいる。
・上から１段目：左から順にエリアＡ１〜Ａ５
・上から２段目：左から順にエリアＡ６〜Ａ１０
・上から３段目：左から順にエリアＡ１１〜Ａ１５
・上から４段目：左から順にエリアＡ１６〜Ａ２０
・上から５段目：左から順にエリアＡ２１〜Ａ２５
なお、バックライト２０は、２５とは異なる数のエリアから構成されていてもよい。また、各エリアの形状は、矩形形状でなくてもよく、また互いに異なっていてもよい。
【００２７】
（バックライト制御部１２の構成）
図４は、バックライト制御部１２の構成を示すブロック図である。図４に示すように、バックライト制御部１２は、点灯制御部５、電流算出部６、デューティ比算出部７、ＬＥＤコントローラ８、及び複数のＬＥＤドライバ９を備えている。
【００２８】
点灯制御部５は、映像信号を参照し、バックライト２０を構成する各エリアにおけるバックライト２０の点灯周期を設定する。また、点灯制御部５は、表示制御部１１から供給される、各走査ラインの書き込みタイミングを示す書き込みタイミング信号を参照し、各エリアにおけるバックライト２０の点灯タイミングを設定する。
【００２９】
また、点灯制御部５は、入力される映像信号が３Ｄ映像の映像信号であるか判定する。入力される映像信号が３Ｄ映像の映像信号である場合には、点灯制御部５は、左目用画像に含まれる第１画像（第１の対象画像）を表示する場合における、バックライト２０を構成する複数のエリアのうちの第１のエリアの点灯周期を、第１画像に対応する画像であって、右目用画像に含まれる第２画像（第２の対象画像）の輝度に応じて決定する。具体的には、点灯制御部５は、第１のエリアの位置における第１画像の輝度と、第１のエリアにおける第２画像の輝度とのうち、大きいほうの輝度に対応する点灯周期を第１のエリアのＬＥＤの点灯周期として設定する。
【００３０】
本実施形態では、第１のエリアは、第２画像における所定の輝度以上の輝度を有する位置に配置されたエリアである。すなわち、点灯制御部５は、あるエリアにおいて第２画像が所定の輝度以上の輝度を有する場合、第１画像を表示する場合における当該エリアのＬＥＤの点灯周期を、当該エリアの位置における第１画像の輝度と第２画像の輝度とのうち大きい方に対応する点灯周期に設定する。
【００３１】
また、点灯制御部５は、第２画像を表示する場合における複数のエリアのうちの第２のエリアの点灯周期を、第１画像における最大輝度に応じて決定する。具体的には、点灯制御部５は、第２のエリアの位置における第２画像の輝度と、第２のエリアにおける第１画像の輝度とのうち、大きいほうの輝度に対応する点灯周期を第２のエリアのＬＥＤの点灯周期として設定する。
【００３２】
本実施形態では、第２のエリアは、第１画像における所定の輝度以上の輝度を有する位置に配置されたエリアである。すなわち、点灯制御部５は、あるエリアにおいて第１画像が所定の輝度以上の輝度を有する場合、第２画像を表示する場合における当該エリアのＬＥＤの点灯周期を、当該エリアの位置における第１画像の輝度と第２画像の輝度とのうち大きい方に対応する点灯周期に設定する。
【００３３】
ここで、各ＬＥＤの明るさは、上記点灯周期に応じて変化する。本実施形態では、各ＬＥＤは、点灯周期が同じであれば同じ明るさにて発光するよう構成されている。したがって、上記の構成により、点灯制御部５は、第１のエリア及び第２のエリアを、当該エリアにおける第１画像の輝度と第２画像の輝度とのうち大きい方に対応する明るさで発光させる。
【００３４】
点灯制御部５は、エリアごとのバックライト２０の点灯周期及び点灯タイミングを示す信号を、電流算出部６、デューティ比算出部７、及びＬＥＤコントローラ８に出力する。
【００３５】
電流算出部６は、点灯制御部５からエリアごとのバックライト２０の点灯周期及び点灯タイミングを取得し、当該点灯周期及び点灯タイミングを参照して、エリアごとのバックライト２０の電流値を算出する。ここで言う「電流値」とは、電流のパルス波形における高さのことであり、エリアごとに異なる。電流算出部６は、エリアごとのバックライト２０の電流値を、デューティ比算出部７及びＬＥＤコントローラ８に出力する。
【００３６】
デューティ比算出部７は、点灯制御部５からエリアごとのバックライト２０の点灯周期及び点灯タイミングを取得し、電流算出部６からエリアごとのバックライト２０の電流値を取得する。デューティ比算出部７は、当該点灯周期、当該点灯タイミング、及び、当該電流値を参照して、エリアごとのバックライト２０のデューティ比を算出する。ここで言う「デューティ比」とは、電流のパルス波形におけるパルス幅の割合のことであり、エリアごとに異なる。１００％のパルス幅は、予め決められている。デューティ比算出部７は、エリアごとのバックライト２０のデューティ比をＬＥＤコントローラ８に出力する。
【００３７】
ＬＥＤコントローラ８は、点灯制御部５からエリアごとのバックライト２０の点灯周期、及び点灯タイミングを取得する。さらに、ＬＥＤコントローラ８は、電流算出部６からエリアごとのバックライト２０の電流値を取得し、デューティ比算出部７からエリアごとのバックライト２０のデューティ比を取得する。ＬＥＤコントローラ８は、当該点灯周期、当該点灯タイミング、当該電流値、及び、当該デューティ比を参照して、ＬＥＤドライバ９に供給するための駆動信号を生成する。
【００３８】
ＬＥＤドライバ９は、バックライト２０のエリアごとにＬＥＤコントローラ８から提供された駆動信号に基づき、エリアごとのＬＥＤを駆動する。
【００３９】
バックライト制御部１２は、以上の構成により、入力される映像信号が３Ｄ映像の映像信号である場合には以下の通り動作する。すなわち、バックライト制御部１２は、左目用画像に含まれる第１画像を表示する場合における、複数のエリアのうちの第１のエリアの明るさを、第１画像に対応する画像であって、右目用画像に含まれる第２画像の輝度に応じて決定する。また、バックライト制御部１２は、第２画像を表示する場合における、複数のエリアのうちの第２のエリアの明るさを、第１画像における最大輝度に応じて決定する。なお、バックライト２０のエリアごとの明るさは、当該エリアにおけるＬＥＤの点灯周期、電流値、及びデューティ比によって決定される。
【００４０】
なお、バックライト制御部１２は、上述した第１のエリア及び第２のエリアの明るさを、第２画像または第１画像の輝度ではなく、第２画像または第１画像を表示する場合のバックライト制御信号に応じて決定してもよい。
【００４１】
（バックライト制御部１２における処理）
図５は、バックライト制御部１２における処理の流れを示すフローチャートである。図５には、液晶パネル１０が第１画像を表示する場合に、バックライト制御部１２がバックライト２０の各エリアの明るさを決定する処理のフローチャートが示されている。図５に示すように、バックライト制御部１２において、点灯制御部５は、映像信号を参照し、バックライト２０を構成する各エリアにおけるバックライト２０の点灯周期及び点灯タイミングを設定する。（Ｓ１）。次に、点灯制御部５は、映像信号が３Ｄ映像の映像信号であるか判定する（Ｓ２）。
【００４２】
映像信号が３Ｄ映像の映像信号である場合（Ｓ２でＹＥＳ）、点灯制御部５は、第２画像を参照して、上述の第１のエリアを特定する。（Ｓ３）。点灯制御部５は、特定した第１のエリアのそれぞれにおけるＬＥＤの点灯周期を、当該エリアにおける第２画像の輝度に応じて設定しなおす（Ｓ４）。
【００４３】
電流算出部６は、エリアごとのバックライト２０の点灯周期及び点灯タイミングを参照して、エリアごとのバックライト２０の電流値を算出する（Ｓ５）。デューティ比算出部７は、エリアごとのバックライト２０の点灯周期、点灯タイミング、及び電流値を参照して、エリアごとのバックライト２０のデューティ比を算出する（Ｓ６）。ＬＥＤコントローラ８は、エリアごとのバックライト２０の点灯周期、点灯タイミング、電流値、及びデューティ比を参照して、ＬＥＤドライバ９に供給するための駆動信号を生成する（Ｓ７）。ＬＥＤドライバ９は、ＬＥＤコントローラ８が生成した駆動信号に基づき、エリアごとのＬＥＤを駆動する（Ｓ８）。
【００４４】
一方、映像信号が３Ｄ映像の映像信号でない場合（Ｓ２でＮＯ）、点灯制御部５は、ステップＳ３、Ｓ４の処理をスキップする。この場合、電流算出部６、デューティ比算出部７、ＬＥＤコントローラ８、及びＬＥＤドライバ９はそれぞれ、各エリアに対応する映像信号の輝度に基づいて設定された、バックライト２０の点灯周期などに基づいて、ステップＳ５〜Ｓ８の処理を実行する。なお、ステップＳ３において第１のエリアが存在しない場合には、ステップＳ４はスキップされる。
【００４５】
第２画像を表示する場合におけるバックライト２０の明るさを決定する処理は、ステップＳ３、Ｓ４を除いて第１画像を表示する場合におけるバックライト２０の明るさを決定する処理と同様である。第２画像を表示する場合におけるバックライト２０の明るさを決定する処理においては、点灯制御部５は、ステップＳ３において第１のエリアではなく第２のエリアを特定する。また、点灯制御部５は、ステップＳ４において第２のエリアのそれぞれにおけるＬＥＤの点灯周期を、当該エリアにおける第１画像の輝度に応じて設定しなおす。
【００４６】
（効果）
図６の（ａ）は、バックライト２０の各エリアの位置における、チラつき軽減前の第１画像の輝度を示す図である。図６の（ｂ）は、各エリアの位置における、チラつき軽減前の第２画像の輝度を示す図である。図６の（ｃ）は、各エリアの位置における、チラつき軽減後の第１画像の輝度を示す図である。図６の（ｄ）は、各エリアの位置における、チラつき軽減後の第２画像の輝度を示す図である。図６の（ａ）〜（ｄ）において、各エリア内の数字は、当該エリアに含まれる画素の輝度の最大値を％単位で示したものである。以下、所定の輝度を５０％として、バックライト制御部１２の動作について説明する。
【００４７】
第２画像においては、図６の（ｂ）に示すように、エリアＡ１９（第１のエリア）に対応する位置における輝度が、所定の輝度より大きい９０％になっている。この場合、表示装置１が第１画像を表示する場合に、バックライト制御部１２は、エリアＡ１９において、エリアＡ１９における第１画像の輝度と、エリアＡ１９における第２画像の輝度とのうち、大きいほうの輝度に対応する明るさでバックライト２０を発光させる。
【００４８】
図６の（ａ）に示すように、エリアＡ１９に対応する位置における第１画像の輝度は１０％であり、エリアＡ１９に対応する位置における第２画像の輝度より小さい。したがって、表示装置１が第１画像を表示する場合に、バックライト制御部１２は、図６の（ｃ）に示すように、エリアＡ１９における第１画像の輝度が９０％であるものとしてバックライト２０を発光させる。また、バックライト制御部１２は、エリアＡ１９に対応する位置における第１画像の輝度を９０％としたことを表示制御部１１にフィードバックする。表示制御部１１は、エリアＡ１９に対応する位置における第１画像の画素の画素値を、バックライト２０の輝度に応じて補正する。
【００４９】
また、第２画像は、エリアＡ１９以外のエリアに対応する位置では、所定の輝度以上の輝度を有しない。このため、表示装置１が第１画像を表示する場合に、バックライト制御部１２は、エリアＡ１９以外のエリアについては、第１画像の輝度に応じてバックライト２０の明るさを決定する。
【００５０】
一方、第１画像においては、図６の（ａ）に示すように、エリアＡ１８（第２のエリア）の輝度が所定の輝度より大きい９０％になっている。この場合、表示装置１が第２画像を表示する場合に、バックライト制御部１２は、エリアＡ１８において、エリアＡ１８における第１画像の輝度と、エリアＡ１８における第２画像の輝度とのうち、大きいほうの輝度に対応する明るさでバックライト２０を発光させる。
【００５１】
図６の（ｂ）に示すように、エリアＡ１８に対応する位置における第２画像の輝度は１０％であり、エリアＡ１８に対応する位置における第１画像の輝度より小さい。したがって、表示装置１が第２画像を表示する場合に、バックライト制御部１２は、図６の（ｄ）に示すように、エリアＡ１８に対応する位置における第２画像の輝度が９０％であるものとしてバックライト２０を発光させる。
【００５２】
また、第１画像は、エリアＡ１８以外のエリアに対応する位置では、所定の輝度以上の輝度を有しない。このため、表示装置１が第２画像を表示する場合に、バックライト制御部１２は、エリアＡ１８以外のエリアについては、第２画像の輝度に応じてバックライト２０の明るさを決定する。
【００５３】
以上の通り、バックライト制御部１２は、第１画像及び第２画像のいずれかで所定の輝度以上の輝度を有するエリアにおけるバックライト２０の明るさを、第１画像及び第２画像のうち高い方の輝度に応じて決定する。このため、第１画像及び第２画像のいずれかで所定の輝度以上の輝度を有するエリアにおいては、第１画像を表示する場合と第２画像を表示する場合とで、バックライト２０の明るさの変動が抑制される。したがって、バックライト制御部１２によれば、左目用画像及び右目用画像を連続して交互に見る場合におけるチラつきが抑制される。
【００５４】
なお、上述した例では、第１のエリアに対応する位置における第１画像の輝度が第２画像の輝度より小さかった。このため、表示装置１が第１画像を表示する場合に、バックライト制御部１２は、第２画像の輝度に対応する明るさで第１のエリアを発光させた。しかし、第１のエリアに対応する位置における第１画像の輝度が第２画像の輝度より大きい場合には、表示装置１が第１画像を表示する場合に、バックライト制御部１２は、第１画像の輝度に対応する明るさで第１のエリアを発光させる。
【００５５】
〔実施形態２〕
本発明の他の実施形態について、図７〜図９に基づいて説明すれば、以下のとおりである。なお、説明の便宜上、前記実施形態にて説明した部材と同じ機能を有する部材については、同じ符号を付記し、その説明を省略する。
【００５６】
（バックライト制御部１２Ａの構成）
図７は、本実施形態に係るバックライト制御部１２Ａの構成を示すブロック図である。バックライト制御部１２Ａは、点灯制御部５の代わりに点灯制御部５Ａを備える点でバックライト制御部１２と相違する。
【００５７】
点灯制御部５Ａは、第１のエリアにおけるＬＥＤの点灯周期を、第１画像の輝度及び第２画像の輝度のうち、大きい方の輝度に応じて決定する。本実施形態においては、第１のエリアは、バックライト２０を構成する任意のエリアである。したがって、バックライト制御部１２Ａは、第１のエリアの位置における第１画像の輝度と、第１のエリアの位置における第２画像の輝度とのうち、大きい方の輝度に対応する明るさで第１のエリアを発光させる。
【００５８】
（バックライト制御部１２Ａにおける処理）
図８は、バックライト制御部１２Ａにおける処理の流れを示すフローチャートである。図８には、液晶パネル１０が第１画像を表示する場合に、バックライト制御部１２Ａがバックライト２０の各エリアの明るさを決定する処理のフローチャートが示されている。図８に示すように、バックライト制御部１２Ａにおける処理は、バックライト制御部１２における処理と比較して、ステップＳ３、Ｓ４の代わりにステップＳ２１、Ｓ２２が実行される点で相違する。
【００５９】
バックライト制御部１２Ａにおいては、映像信号が３Ｄ映像の信号である場合（Ｓ２でＹＥＳ）、点灯制御部５は、第１画像の輝度より第２画像の輝度の方が高いエリアを特定する（Ｓ２１）。点灯制御部５は、特定したエリアにおけるＬＥＤの点灯周期を、第２画像の輝度を参照して設定しなおす（Ｓ２２）。その後、電流算出部６、デューティ比算出部７、ＬＥＤコントローラ８、及びＬＥＤドライバ９はそれぞれ、各エリアに対応する映像信号の輝度に基づいて設定された、バックライト２０の点灯周期などに基づいて、ステップＳ５〜Ｓ８の処理を実行する。
【００６０】
第２画像を表示する場合におけるバックライト２０の明るさを決定する処理は、第１画像を表示する場合におけるバックライト２０の明るさを決定する処理と同様である。ただし、第２画像を表示する場合におけるバックライト２０の明るさを決定する処理においては、点灯制御部５は、ステップＳ２１において第２画像の輝度より第１画像の輝度の方が高いエリアを特定する。また、点灯制御部５は、ステップＳ２２において、ステップＳ２１において特定したエリアにおけるＬＥＤの点灯周期を、第１画像の輝度を参照して設定しなおす。
【００６１】
（効果）
図９の（ａ）は、バックライト２０の各エリアの位置における、チラつき軽減前の第１画像の輝度を示す図である。図９の（ｂ）は、各エリアの位置における、チラつき軽減前の第２画像の輝度を示す図である。図９の（ｃ）は、各エリアの位置における、チラつき軽減後の第１画像の輝度を示す図である。図９の（ｄ）は、各エリアの位置における、チラつき軽減後の第２画像の輝度を示す図である。図９の（ａ）〜（ｄ）において、各エリア内の数字は、当該エリアに含まれる画素の輝度の最大値を％単位で示したものである。
【００６２】
図９の（ａ）、（ｂ）を参照すると、第１画像の輝度より第２画像の輝度が高いエリアは、エリアＡ１４、Ａ１９である。そこで、点灯制御部５は、図９の（ｃ）に示すように、エリアＡ１４、Ａ１９における輝度が第２画像における当該エリアの輝度であるものとして、バックライト２０の明るさを決定する。
【００６３】
再び図９の（ａ）、（ｂ）を参照すると、第２画像の輝度より第１画像の輝度が高いエリアは、エリアＡ１２、Ａ１３、Ａ１８である。そこで、点灯制御部５は、図９の（ｄ）に示すように、エリアＡ１２、Ａ１３、Ａ１８における輝度が第１画像における当該エリアの輝度であるものとして、バックライト２０の明るさを決定する。
【００６４】
以上の通り、バックライト制御部１２Ａは、液晶パネル１０が第１画像を表示する場合及び第２画像を表示する場合の双方で、バックライト２０の全てのエリアを、第１画像の輝度及び第２画像の輝度のうち、大きいほうの輝度に応じた明るさで発光させる。このため、第１画像を表示する場合と第２画像を表示する場合とで、バックライト２０の明るさが変化しなくなる。したがって、バックライト制御部１２Ａによれば、左目用画像及び右目用画像を連続して交互に見る場合におけるチラつきがさらに抑制される。
【００６５】
ただし、バックライト制御部１２Ａによれば、第１画像と第２画像とで輝度が異なるエリア全てについて、当該エリアにおける輝度が低いほうの画像を表示する場合に、バックライト２０を当該画像の輝度に基づく明るさより明るく発光させることとなる。したがって、実施形態１と比較して、バックライト２０の消費電力が大きくなる。
【００６６】
〔実施形態３〕
本発明の他の実施形態について、図１０〜図１２に基づいて説明すれば、以下のとおりである。
【００６７】
（バックライト制御部１２Ｂの構成）
図１０は、本実施形態に係るバックライト制御部１２Ｂの構成を示すブロック図である。バックライト制御部１２Ｂは、点灯制御部５の代わりに点灯制御部５Ｂを備える点でバックライト制御部１２と相違する。
【００６８】
実施形態１において説明した通り、バックライト制御部１２は、液晶パネル１０が第１画像を表示する場合における第１のエリアの明るさを、第２画像の輝度に応じて決定した。また、バックライト制御部１２は、液晶パネル１０が第２画像を表示する場合における第２のエリアの明るさを、第１画像の輝度に応じて決定した。一方、バックライト制御部１２は、第１画像及び第２画像のいずれにおいても所定の輝度以上の輝度を有しないエリアを、液晶パネル１０が表示する画像における輝度に応じた明るさで発光させた。
【００６９】
これに対し、本実施形態のバックライト制御部１２Ｂにおいて、点灯制御部５Ｂは、第１画像及び第２画像のいずれにおいても所定の輝度以上の輝度を有しないエリアにおけるＬＥＤの点灯周期を、それぞれの画像における輝度に応じた本来の点灯周期よりも長く設定する。すなわち、バックライト制御部１２Ｂは、第１画像及び第２画像の少なくともいずれかを表示する場合において、バックライト２０の複数のエリアのうち、第１のエリア及び第２のエリア以外のエリアの明るさを低下させる。あるエリアにおけるバックライト２０の消費電力は、当該エリアにおける画像の輝度と線形な関係を有する。したがって、バックライト制御部１２Ｂは、消費電力の低減を図ることができる。
【００７０】
具体的には、点灯制御部５Ｂは、液晶パネル１０が第１画像を表示する場合の第１のエリアのＬＥＤの点灯周期を、当該エリアにおける第２画像の輝度値に応じて設定する。このとき、第１のエリアにおけるバックライト２０の消費電力は、第２画像の輝度と第１画像の輝度との差に応じて上昇する。点灯制御部５Ｂは、バックライト２０全体での消費電力が一定になるように、第１のエリア以外のエリアにおけるＬＥＤの点灯周期を、実際の第１画像の輝度より低い輝度に対応する点灯周期に設定する。また同様に点灯制御部５Ｂは、液晶パネル１０が第２画像を表示する場合に、第２のエリア以外のエリアにおけるＬＥＤの点灯周期を、実際の第２画像の輝度より低い輝度に対応する点灯周期に設定する。
【００７１】
輝度が低下することによる、人間の視覚に対する影響は、中間輝度において大きい。そこで、点灯制御部５Ｂは、輝度が所定の第２輝度以下であるエリアについて、当該エリアにおけるＬＥＤの点灯周期を、実際の第１画像または第２画像の輝度より低い輝度に対応する点灯周期に設定することが好ましい。ここで、第２輝度とは、輝度の変動による人間の視覚への影響が小さいと考えられる輝度の上限値である。すなわち、輝度が所定の第２輝度以下であるエリアについては、輝度が低下しても人間の視覚への影響が小さいと考えられる。
【００７２】
（バックライト制御部１２Ｂにおける処理）
図１１は、バックライト制御部１２Ｂにおける処理の流れを示すフローチャートである。図１１には、液晶パネル１０が第１画像を表示する場合に、バックライト制御部１２Ｂがバックライト２０の各エリアの明るさを決定する処理のフローチャートが示されている。バックライト制御部１２Ｂにおける処理は、バックライト制御部１２における処理と比較して、図１１に示すように、ステップＳ４の後にステップＳ３１が実行される点で相違する。ステップＳ３１において、点灯制御部５Ｂは、第１のエリア以外におけるＬＥＤの点灯周期を、実際の第１画像の輝度より低い輝度に対応する点灯周期に再設定する。
【００７３】
液晶パネル１０が第２画像を表示する場合におけるバックライト２０の明るさを決定する処理は、ステップＳ３、Ｓ４、Ｓ３１を除いて第１画像を表示する場合におけるバックライト２０の明るさを決定する処理と同様である。ステップＳ３、Ｓ４における相違点は、実施形態１で説明した通りである。また、ステップＳ３１においては、点灯制御部５Ｂは、第２のエリア以外のエリアにおけるＬＥＤの点灯周期を再設定する。
【００７４】
（効果）
図１２の（ａ）は、バックライト２０の各エリアの位置における、チラつき軽減前の第１画像の輝度を示す図である。図１２の（ｂ）は、各エリアの位置における、チラつき軽減前の第２画像の輝度を示す図である。図１２の（ｃ）は、各エリアの位置における、チラつき軽減後の第１画像の輝度を示す図である。図１２の（ｄ）は、各エリアの位置における、チラつき軽減後の第２画像の輝度を示す図である。図１２の（ａ）〜（ｄ）において、各エリア内の数字は、当該エリアに含まれる画素の輝度の最大値を％単位で示したものである。以下、所定の輝度を５０％、所定の第２輝度を３０％として、バックライト制御部１２の動作について説明する。
【００７５】
実施形態１と同様、第２画像においては、図１２の（ｂ）に示すように、エリアＡ１９（第１のエリア）の輝度が所定の輝度より大きい９０％になっている。エリアＡ１９における第１画像の輝度は１０％であるため、バックライト制御部１２Ｂは、９０％の輝度に対応する明るさでエリアＡ１９を発光させる。
【００７６】
このとき、バックライト制御部１２Ｂは、エリアＡ１９における第１画像の輝度が実際の輝度より８０ポイント高いものとしてバックライト２０を発光させることとなる。そこで、バックライト制御部１２Ｂは、エリアＡ１９以外の輝度が所定の第２輝度以下であるエリアについて、当該エリアの実際の輝度より低い輝度に対応する明るさで発光させることで、バックライト２０全体での消費電力を一定に維持する。
【００７７】
図１２の（ｃ）に示す例では、バックライト制御部１２Ｂは、輝度を示す数字を矩形枠で囲んだ１６のエリアについて、第１画像の実際の輝度より５ポイント低い輝度に対応する明るさでバックライト２０を発光させる。したがって、バックライト２０全体における消費電力は、チラつきを抑制することによって変化しない。
【００７８】
同様に、第１画像においては、図１２の（ａ）に示すように、エリアＡ１８の輝度が所定の輝度より大きい９０％になっている。エリアＡ１８における第２画像の輝度は１０％であるため、バックライト制御部１２Ｂは、９０％の輝度に対応する明るさでエリアＡ１８を発光させる。
【００７９】
このとき、バックライト制御部１２Ｂは、エリアＡ１８における第２画像の輝度が実際の輝度より８０ポイント高いものとしてバックライト２０を発光させることとなる。そこで、バックライト制御部１２Ｂは、エリアＡ１８以外の輝度が所定の第２輝度以下であるエリアについて、当該エリアの実際の輝度より低い輝度に対応する明るさで発光させることで、バックライト２０全体での消費電力を一定に維持する。
【００８０】
図１２の（ｄ）に示す例では、バックライト制御部１２Ｂは、輝度を示す数字を矩形枠で囲んだ１６のエリアについて、第２画像の実際の輝度より５ポイント低い輝度に対応する明るさでバックライト２０を発光させる。したがって、バックライト２０全体における消費電力は、チラつきを抑制することによって変化しない。
【００８１】
なお、輝度を低下させるエリアの数及び位置、並びに低下させる輝度の大きさは任意に設定されてよい。また低下させる輝度の大きさは、輝度を低下させるエリアの全てで一様である必要はなく、実際の輝度またはエリアの位置などに応じて異なっていてもよい。
【００８２】
以上の通り、バックライト制御部１２Ｂは、バックライト制御部１２の効果に加えて、バックライト２０における消費電力の増大を抑制できるという効果を奏する。
【００８３】
〔実施形態４〕
本発明の他の実施形態について、図１３に基づいて説明すれば、以下のとおりである。
【００８４】
（バックライト制御部１２Ｃの構成）
図１３は、本実施形態に係るバックライト制御部１２Ｃの構成を示すブロック図である。バックライト制御部１２Ｃは、バックライト制御部１２の構成に加えて、判別部４を更に備える。
【００８５】
判別部４は、動画像を立体視するための３Ｄメガネ３０をユーザが装着しているか否かを判別する。本実施形態では、３Ｄメガネ３０は、動画像を立体視可能なオン状態と、動画像を立体視不可能なオフ状態とを切り換え可能である。また、３Ｄメガネ３０は、オン状態またはオフ状態のいずれの状態であるかを示す信号を出力可能である。
【００８６】
判別部４は、３Ｄメガネが出力した信号を参照して、ユーザが３Ｄメガネ３０を装着しているか否かを判別する。具体的には、判別部４は、３Ｄメガネ３０がオン状態であることを示す信号を受信部により受信した場合に、ユーザが３Ｄメガネ３０を装着していると判別する。逆に、判別部４は、３Ｄメガネ３０がオフ状態であることを示す信号を受信部により受信した場合に、ユーザが３Ｄメガネ３０を装着していないと判別する。
【００８７】
バックライト制御部１２Ｂは、判別部４による判別結果に応じて、左目用画像に含まれる第１画像（第１の対象画像）を表示する場合における、バックライト２０を構成する複数のエリアのうちの第１のエリアの点灯周期を、第１画像に対応する画像であって、右目用画像に含まれる第２画像（第２の対象画像）の輝度に応じて決定する。具体的には、点灯制御部５は、判別部４による判別結果に応じて、第１のエリアの位置における第１画像の輝度と、第１のエリアにおける第２画像の輝度とのうち、大きいほうの輝度に対応する点灯周期を第１のエリアのＬＥＤの点灯周期として設定する。
【００８８】
（効果）
ユーザが３Ｄメガネ３０を装着している場合には、実施形態１などで説明したチラつき低減のための処理を実行しなくても、ユーザが見る映像にチラつきが発生する虞は小さい。そこで、バックライト制御部１２Ｃは、ユーザが３Ｄメガネ３０を装着していると判別部４が判別した場合には、３Ｄメガネ３０を装着していないユーザに対するチラつき低減のための処理を実行しないという構成にすることができる。これにより、バックライト制御部１２Ｃは、ユーザが３Ｄメガネ３０を装着している場合における処理量を、バックライト制御部１２における処理量と比較して削減できる。
【００８９】
（変形例）
上述した例では、判別部４は、３Ｄメガネ３０のオン状態及びオフ状態を示す信号の両方を参照して、ユーザが３Ｄメガネ３０を装着しているか判別した。しかし、判別部４は、３Ｄメガネ３０のオン状態及びオフ状態を示す信号のいずれか一方のみを参照して、ユーザが３Ｄメガネ３０を装着しているか判別してもよい。
【００９０】
例えば、判別部４が３Ｄメガネ３０のオン状態を示す信号のみを参照する場合、判別部４は、３Ｄメガネ３０のオン状態を示す信号を受信している場合にユーザが３Ｄメガネ３０を装着していると判別する。一方、判別部４は、３Ｄメガネ３０のオン状態を示す信号を受信していない場合にユーザが３Ｄメガネ３０を装着していないと判別する。
【００９１】
また、上述した例では、判別部４は、３Ｄメガネ３０のオン状態またはオフ状態を示す信号を参照して、ユーザが３Ｄメガネ３０を装着しているか判別した。しかし、本発明の一態様においては、判別部４は、上記信号とは別の情報を参照してユーザが３Ｄメガネ３０を装着しているか判別してもよい。
【００９２】
例えば、判別部４は、ユーザの光学画像を参照してユーザが３Ｄメガネ３０を装着しているか判別してもよい。この場合、判別部４を備える液晶テレビは、ユーザの光学画像を撮像する撮像装置を備えるか、またはユーザの光学画像を撮像する撮像装置と接続されている。判別部４は、上記撮像装置により撮像されたユーザの光学画像を参照し、画像認識により３Ｄメガネ３０を装着しているか判別すればよい。
【００９３】
また、本実施形態に係る液晶テレビに、複数のユーザが存在することが考えられる。そこで、本実施形態に係る液晶テレビは、近傍に存在する人物を検出する人感センサを更に備えていてもよい。この場合、判別部４は、人感センサによる人物の検出と、上述した信号または画像などによる、ユーザが３Ｄメガネ３０を装着しているか否かの判別とを組み合わせることで、３Ｄメガネ３０を装着していないユーザの有無を判別することができる。
【００９４】
また、上述したバックライト制御部１２Ｃは、バックライト制御部１２に判別部４が追加された構成を有する。しかし、本発明の一態様において、バックライト制御部１２Ｃは、バックライト制御部１２Ａ、又は、バックライト制御部１２Ｂに判別部４が追加された構成を有していてもよい。
【００９５】
〔実施形態５〕
本発明の他の実施形態について、図１４に基づいて説明すれば、以下のとおりである。
【００９６】
（バックライト制御部１２Ｄの構成）
図１４は、本実施形態に係るバックライト制御部１２Ｄの構成を示すブロック図である。バックライト制御部１２Ｄは、バックライト制御部１２の構成に加えて、操作受付部３（ユーザ操作受付部）をさらに備える。
【００９７】
操作受付部３は、ユーザからの操作を受け付ける。本実施形態では、操作受付部３が受け付ける操作は、実施形態１などで説明したステップＳ２〜Ｓ６までの処理をバックライト制御部１２Ｄに実行させるか否かを選択する操作を含む。バックライト制御部１２Ｄは、操作受付部３が受け付けたユーザ操作に応じて、左目用画像に含まれる第１画像（第１の対象画像）を表示する場合における、バックライト２０を構成する複数のエリアのうちの第１のエリアの点灯周期を、第１画像に対応する画像であって、右目用画像に含まれる第２画像（第２の対象画像）の輝度に応じて決定する。具体的には、点灯制御部５は、操作受付部３が受け付けたユーザ操作に応じて、第１のエリアの位置における第１画像の輝度と、第１のエリアにおける第２画像の輝度とのうち、大きいほうの輝度に対応する点灯周期を第１のエリアのＬＥＤの点灯周期として設定する。
【００９８】
（効果）
バックライト制御部１２Ｄによれば、３Ｄメガネ３０を装着していないユーザに対するチラつき低減のための処理を実行するか否かを、ユーザが任意に決定する構成とすることができる。
【００９９】
（変形例）
上述した例では、バックライト制御部１２Ｄは、バックライト制御部１２に操作受付部３が追加された構成を有する。しかし、バックライト制御部１２Ｄは、バックライト制御部１２Ａ、又は、バックライト制御部１２Ｂに操作受付部３が追加された構成を有してもよい。
【０１００】
〔ソフトウェアによる実現例〕
表示装置１の制御ブロック（特に表示制御部１１及びバックライト制御部１２、１２Ａ、１２Ｂ、１２Ｃ、１２Ｄ）は、集積回路（ＩＣチップ）等に形成された論理回路（ハードウェア）によって実現してもよいし、ＣＰＵ（Central Processing Unit）を用いてソフトウェアによって実現してもよい。
【０１０１】
後者の場合、表示装置１は、各機能を実現するソフトウェアであるプログラムの命令を実行するＣＰＵ、上記プログラム及び各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１０２】
〔まとめ〕
本発明の態様１に係る表示装置（１）は、第１視点用の一連の画像及び第２視点用の一連の画像を交互に表示することによって立体視可能な動画像を表示する表示装置において、複数のエリアから構成され、当該複数のエリアの明るさを個別に制御可能なバックライト（２０）と、上記バックライトを制御するバックライト制御部（１２など）とを備え、上記バックライト制御部は、上記第１視点用の一連の画像に含まれる第１の対象画像を表示する場合における上記複数のエリアのうちの第１のエリアの明るさを、当該対象画像に対応する画像であって、上記第２視点用の一連の画像に含まれる第２の対象画像の輝度、又は、上記第２の対象画像を表示する場合のバックライト制御信号の少なくとも何れかに応じて決定する。
【０１０３】
上記の構成によれば、表示装置は、第１視点用の一連の画像に含まれる第１の対象画像を表示する場合における、バックライトの第１のエリアの明るさを決定するバックライト制御部を備える。バックライト制御部は、第１のエリアの明るさを、第１の対象画像に対応する第２の対象画像の輝度、または第２の対象画像を表示する場合のバックライト制御信号の少なくとも何れかに応じて決定する。したがって、バックライト制御部は、映像のちらつきを抑制することができる。
【０１０４】
本発明の態様２に係る表示装置は、上記態様１において、上記第１のエリアは、上記第２の対象画像における所定の輝度以上の輝度を有する位置に配置されたエリアであってもよい。
【０１０５】
上記の構成によれば、上記第１のエリアは、上記第２の対象画像における所定の輝度以上の輝度を有する位置に配置されたエリアであるので、映像のちらつきを好適に抑制することができる。
【０１０６】
本発明の態様３に係る表示装置は、上記態様１において、上記バックライト制御部は、上記第１のエリアの位置における上記第１の対象画像の輝度と、上記第１のエリアの位置における上記第２の対象画像の輝度のうち、大きい方の輝度に対応する明るさで上記第１のエリアを発光させてもよい。
【０１０７】
上記の構成によれば、上記第１のエリアの位置における上記第１の対象画像の輝度と、上記第１のエリアの位置における上記第２の対象画像の輝度のうち、大きい方の輝度に対応する明るさで上記第１のエリアを発光させるので、映像のちらつきを好適に抑制することができる。
【０１０８】
本発明の態様４に係る表示装置は、上記態様１から３のいずれかにおいて、上記バックライト制御部は、上記第２の対象画像を表示する場合における上記複数のエリアのうちの第２のエリアの明るさを、上記第１の対象画像における最大輝度に応じて決定することが好ましい。
【０１０９】
上記の構成によれば、上記第２の対象画像を表示する場合における上記複数のエリアのうちの第２のエリアの明るさを、上記第１の対象画像における最大輝度に応じて決定するので、映像のちらつきを好適に抑制することができる。
【０１１０】
本発明の態様５に係る表示装置は、上記態様４において、上記バックライト制御部は、
上記第１の対象画像及び上記第２の対象画像の少なくとも何れかを表示する場合において、上記複数のエリアのうち、上記第１のエリア及び上記第２のエリア以外のエリアの明るさを低下させることが好ましい。
【０１１１】
上記の構成によれば、上記第１の対象画像及び上記第２の対象画像の少なくとも何れかを表示する場合において、上記複数のエリアのうち、上記第１のエリア及び上記第２のエリア以外のエリアの明るさを低下させるので、消費電力の低減を図ることができる。
【０１１２】
本発明の態様６に係る表示装置は、上記態様１〜５において、ユーザからの操作を受け付けるユーザ操作受付部を更に備え、上記バックライト制御部は、上記ユーザ操作に応じて、上記第１視点用の一連の画像に含まれる第１の対象画像を表示する場合における上記複数のエリアのうちの第１のエリアの明るさを、当該第１の対象画像に対応する画像であって、上記第２視点用の一連の画像に含まれる第２の対象画像の輝度、又は、上記第２の対象画像を表示する場合のバックライト制御信号の少なくとも何れかに応じて決定することが好ましい。
【０１１３】
上記の構成によれば、上記第１視点用の一連の画像に含まれる第１の対象画像を表示する場合における上記複数のエリアのうちの第１のエリアの明るさを、当該第１の対象画像に対応する画像であって、上記第２視点用の一連の画像に含まれる第２の対象画像の輝度、又は、上記第２の対象画像を表示する場合のバックライト制御信号の少なくとも何れかに応じて決定するのか否かをユーザ操作に応じて決定することができる。
【０１１４】
本発明の態様７に係る表示装置は、上記態様１〜５において、ユーザが３Ｄメガネを装着しているか否かを判別する判別部を更に備え、上記バックライト制御部は、上記判別部による判別結果に応じて、上記第１視点用の一連の画像に含まれる第１の対象画像を表示する場合における上記複数のエリアのうちの第１のエリアの明るさを、当該第１の対象画像に対応する画像であって、上記第２視点用の一連の画像に含まれる第２の対象画像の輝度、又は、上記第２の対象画像を表示する場合のバックライト制御信号の少なくとも何れかに応じて決定することが好ましい。
【０１１５】
上記の構成によれば、上記第１視点用の一連の画像に含まれる第１の対象画像を表示する場合における上記複数のエリアのうちの第１のエリアの明るさを、当該第１の対象画像に対応する画像であって、上記第２視点用の一連の画像に含まれる第２の対象画像の輝度、又は、上記第２の対象画像を表示する場合のバックライト制御信号の少なくとも何れかに応じて決定するのか否かをユーザが３Ｄメガネを装着しているか否かに応じて決定することができる。
【０１１６】
本発明の態様８に係る表示装置は、上記態様７において、上記判別部は、上記３Ｄメガネが上記動画像を立体視可能なオン状態と、上記動画像を立体視不可能なオフ状態とのいずれの状態であるかを示す信号を参照して上記ユーザが上記３Ｄメガネを装着しているか否かを判別することが好ましい。
【０１１７】
上記の構成によれば、ユーザが３Ｄメガネを装着しているか否かを好適に判定することができる。
【０１１８】
本発明の態様９に係る表示装置は、上記態様７において、上記判別部は、上記ユーザの画像を参照して上記ユーザが上記３Ｄメガネを装着しているか否かを判別することが好ましい。
【０１１９】
上記の構成によれば、ユーザが３Ｄメガネを装着しているか否かを好適に判定することができる。
【０１２０】
本発明の態様１０に係るテレビジョン受像機は、上記態様１〜９において、上記第１視点用の一連の画像及び上記第２視点用の一連の画像は、ＨＤＲ（High Dynamic Range）規格に準拠した画像であることが好ましい。
【０１２１】
上記の構成では、ＨＤＲ規格に準拠した画像のちらつきを好適に抑制することができる。
【０１２２】
本発明の態様１１に係るテレビジョン受像機は、上記態様１〜１０の表示装置を備えている。
【０１２３】
上記構成によれば、態様１と同様の効果を奏する。
【０１２４】
本発明の態様１２に係る表示方法は、第１視点用の一連の画像及び第２視点用の一連の画像を交互に表示することによって立体視可能な動画像を表示する表示方法において、上記第１視点用の一連の画像に含まれる第１の対象画像を表示する場合における、表示装置が備えるバックライトを構成する複数のエリアのうちの第１のエリアの明るさを、当該第１の対象画像に対応する画像であって、上記第２視点用の一連の画像に含まれる第２の対象画像の輝度、又は、上記第２の対象画像を表示する場合のバックライト制御信号
の少なくとも何れかに応じて決定する。
【０１２５】
上記の構成によれば、態様１と同様の効果を奏する。
【０１２６】
本発明の各態様に係る表示装置は、コンピュータによって実現してもよく、この場合には、コンピュータを上記表示装置が備える各部（ソフトウェア要素）として動作させることにより上記表示装置をコンピュータにて実現させる表示装置の制御プログラム、及びそれを記録したコンピュータ読み取り可能な記録媒体も、本発明の範疇に入る。
【０１２７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１２８】
１  表示装置
３  操作受付部（ユーザ操作受付部）
４  判別部
１２、１２Ａ、１２Ｂ、１２Ｃ、１２Ｄ  バックライト制御部
２０  バックライト
１００  液晶テレビ（テレビジョン受像機）
【図１】
2018113656.tif 000003
【図２】
2018113656.tif 000004
【図３】
2018113656.tif 000005
【図４】
2018113656.tif 000006
【図５】
2018113656.tif 000007
【図６】
2018113656.tif 000008
【図７】
2018113656.tif 000009
【図８】
2018113656.tif 000010
【図９】
2018113656.tif 000011
【図１０】
2018113656.tif 000012
【図１１】
2018113656.tif 000013
【図１２】
2018113656.tif 000014
【図１３】
2018113656.tif 000015
【図１４】
2018113656.tif 000016